(57)【要約】【課題】  本開示は、無線装置テザリングのためのマルチバンドリソーススケジューリングを提供する。【解決手段】  無線通信をスケジューリングする方法は、無線ネットワークの無線通信スーパバイザと１又は複数の無線装置との間の無線通信のために無線通信規格の第１の帯域を割り当てるステップを有しても良い。１又は複数の無線装置は、１又は複数のホットスポット装置を有しても良い。方法は、１又は複数のホットスポット装置と１又は複数のスレーブ無線装置との間の無線通信のために無線通信規格の第２の帯域を割り当てるステップを更に有しても良い。１又は複数のホットスポット装置は、１又は複数のスレーブ無線装置と無線通信スーパバイザとの間の情報を中継するよう構成されても良い。方法は、１又は複数のホットスポット装置による通信の電力調整を決定するステップを更に有しても良い。電力調整は、第１の帯域及び第２の帯域のうちの１又は複数の範囲内の１又は複数のチャネルの輻輳に基づき決定されても良い。【選択図】  図４
2015198446.tif 000002
【特許請求の範囲】
【請求項１】
無線通信をスケジューリングする方法であって、
無線ネットワークの無線通信スーパバイザと１又は複数のホットスポット装置を含む１又は複数の無線装置との間の無線通信のために無線通信規格の第１の帯域を割り当てるステップと、
前記１又は複数のホットスポット装置と１又は複数のスレーブ装置との間の無線通信のために前記無線通信規格の第２の帯域を割り当てるステップであって、前記１又は複数のホットスポット装置は、前記１又は複数のスレーブ装置と前記無線通信スーパバイザとの間の情報を中継するよう構成される、ステップと、
前記第１の帯域及び前記第２の帯域のうちの１又は複数の範囲内の１又は複数のチャネルの輻輳に基づき、前記１又は複数のホットスポット装置による通信の電力調整を決定するステップと、
を有する方法。
【請求項２】
前記無線通信規格は、ＩＥＥＥ８０２．１１無線通信規格である、請求項１に記載の方法。
【請求項３】
前記１又は複数のホットスポット装置は、第１のホットスポット装置及び第２のホットスポット装置を含み、前記方法は、
前記第１のホットスポット装置と前記１又は複数のスレーブ無線装置のうちの前記１又は複数の第１のスレーブ無線装置との間の無線通信のために前記第２の帯域の第１のチャネルを割り当てるステップと、
前記第２のホットスポット装置と前記１又は複数のスレーブ無線装置のうちの１又は複数の第２のスレーブ無線装置との間の無線通信のために前記第２の帯域の第２のチャネルを割り当てるステップであって、前記第２のチャネルは前記第１のチャネルと実質的に直交している、ステップと、
を更に有する請求項１に記載の方法。
【請求項４】
前記１又は複数のホットスポット装置は、第１のホットスポット装置及び第２のホットスポット装置を含み、前記方法は、
前記第１のホットスポット装置と前記１又は複数のスレーブ無線装置のうちの１又は複数の第１のスレーブ無線装置との間の無線通信のために前記第２の帯域を割り当てるステップと、
前記第２のホットスポット装置と前記１又は複数のスレーブ無線装置のうちの１又は複数の第２のスレーブ無線装置との間の無線通信のために前記無線通信規格の第３の帯域を割り当てるステップと、
を有する請求項１に記載の方法。
【請求項５】
前記第１の帯域又は前記第２の帯域は、前記ＩＥＥＥ８０２．１１無線通信規格の２．４ＧＨｚ帯域、前記ＩＥＥＥ８０２．１１無線通信規格の５ＧＨｚ帯域、前記ＩＥＥＥ８０２．１１無線通信規格の６０ＧＨｚ帯域、又は前記ＩＥＥＥ８０２．１１無線通信規格に準拠する空白帯域を有する、請求項１に記載の方法。
【請求項６】
前記１又は複数のホットスポット装置の個々の負荷に基づき、前記１又は複数のホットスポット装置に帯域幅を動的に割り当てるステップ、を更に有する請求項１に記載の方法。
【請求項７】
前記無線通信ネットワークは第１の無線通信ネットワークであり、前記方法は、
前記無線通信スーパバイザと前記１又は複数のホットスポット装置との間の無線通信のために前記第１の帯域のチャネルを割り当てるステップ、
を更に有し、
前記１又は複数のホットスポット装置による通信の前記電力調整を決定するステップは、
前記チャネルが前記第１の無線通信ネットワークと異なる第２の無線通信ネットワークにより使用されているか否かを検出するステップと、
前記の検出が前記チャネルは前記第２の無線通信ネットワークにより使用されていないことであるとき、前記１又は複数のホットスポット装置から前記無線通信スーパバイザへの前記チャネルを介するアップリンク通信の電力レベルを調整するステップと、
を有する、請求項１に記載の方法。
【請求項８】
前記１又は複数のホットスポット装置は、第１のホットスポット装置及び第２のホットスポット装置を有し、前記方法は、
前記第１のホットスポット装置と前記無線通信スーパバイザとの間の第１のリンクに関連付けられた第１のリンク指示子を決定するステップと、
前記第２のホットスポット装置と前記無線通信スーパバイザとの間の第２のリンクに関連付けられた第２のリンク指示子を決定するステップと、
前記第１のリンク指示子と前記第２のリンク指示子が互いの間のリンク指示子閾の範囲内にあることに基づき、ホットスポット装置として動作すべき前記第１のホットスポット装置及び前記第２のホットスポット装置を選択するステップと、
を更に有する請求項１に記載の方法。
【請求項９】
前記第１のリンク指示子は、前記第１のリンクを介した第１の信号対雑音比（ＳＮＲ）及び前記第１のリンクを介して前記第１のホットスポット装置から前記無線通信スーパバイザへ送信された第１の信号の前記無線通信スーパバイザにおける受信電力のうちの１又は複数を有し、
前記第２のリンク指示子は、前記第２のリンクを介した第２のＳＮＲ及び前記第２のリンクを介して前記第２のホットスポット装置から前記無線通信スーパバイザへ送信された第２の信号の前記無線通信スーパバイザにおける受信電力のうちの１又は複数を有する、
請求項８に記載の方法。
【請求項１０】
前記リンク指示子閾は、前記第１のリンク指示子及び前記第２のリンク指示子に基づき、最大２個の変調及び符号化方式レベルにマッピングする、請求項８に記載の方法。
【請求項１１】
前記無線通信スーパバイザと前記複数の無線装置との間の１又は複数のリンクの変化に基づき、前記複数の無線装置のうちのどれがホットスポット装置として動作するかを再構成するステップ、を更に有する請求項１に記載の方法。
【請求項１２】
コンピュータ可読記憶媒体であって、命令を格納するよう構成され、前記命令は、１又は複数のプロセッサにより実行されると、無線装置にホットスポット装置として動作するための動作を実行させ、前記動作は、
無線通信規格の第１の帯域を介して無線通信ネットワークの無線通信スーパバイザと通信するステップと、
前記無線通信規格の第２の帯域を介してスレーブ装置のホットスポット装置として前記スレーブ無線装置と通信するステップと、
前記ホットスポット装置として、前記第１の帯域及び前記第２の帯域を介して前記無線通信スーパバイザと前記スレーブ無線装置との間の通信を中継するステップと、
を有する、コンピュータ可読記憶媒体。
【請求項１３】
前記無線通信ネットワークは第１の無線通信ネットワークであり、前記動作は、
前記第１の帯域のチャネルを介して前記無線通信スーパバイザと通信するステップと、
前記チャネルが前記第１の無線通信ネットワークと異なる第２の無線通信ネットワークにより使用されていると検出されないとき、前記チャネルを介して前記無線通信スーパバイザへのアップリンク通信の電力レベルを調整するステップと、
を更に有する請求項１２に記載のコンピュータ可読記憶媒体。
【請求項１４】
前記無線通信ネットワークは第１の無線通信ネットワークであり、前記動作は、
前記第２の帯域のチャネルを介して前記スレーブ無線装置と通信するステップと、
前記チャネルが前記第１の無線通信ネットワークと異なる第２の無線通信ネットワークにより使用されていると検出されないとき、前記チャネルを介して前記スレーブ無線装置への通信の電力レベルを調整するステップと、
を更に有する請求項１２に記載のコンピュータ可読記憶媒体。
【請求項１５】
前記動作は、
前記スレーブ無線装置から第１のデータパケットを受信するステップと、
前記第１のデータパケットを第２のデータパケットと集約して、集約されたデータパケットを形成するステップと、
前記無線通信スーパバイザへ前記集約されたデータパケットを送信するステップと、
を更に有する請求項１２に記載のコンピュータ可読記憶媒体。
【請求項１６】
前記スレーブ装置は第２のスレーブ装置のホットスポットとして動作する第１のスレーブ装置であり、前記動作は、前記第１のスレーブ装置と前記第２のスレーブ装置との間の無線通信のために前記無線通信規格の第３の帯域又は前記第１の帯域を割り当てるステップ、を更に有する、請求項１２に記載のコンピュータ可読記憶媒体。
【請求項１７】
コンピュータ可読記憶媒体であって、命令を格納するよう構成され、前記命令は、１又は複数のプロセッサにより実行されると、装置に、無線通信をスケジューリングする動作を実行させ、前記動作は、
無線ネットワークの無線通信スーパバイザと１又は複数のホットスポット装置を含む１又は複数の無線装置との間の無線通信のために、無線通信規格の第１の帯域を割り当てるステップと、
前記１又は複数のホットスポット装置と１又は複数スレーブ無線装置との間の無線通信のために、前記無線通信規格の第２の帯域を割り当てるステップであって、前記１又は複数のホットスポット装置は、前記１又は複数のスレーブ無線装置と前記無線通信スーパバイザとの間の情報を中継するよう構成される、ステップと、
前記第１の帯域及び前記第２の帯域のうちの１又は複数の範囲内にある１又は複数のチャネルの輻輳に基づき、前記１又は複数のホットスポット装置による通信の電力調整を決定するステップと、
を有する、コンピュータ可読記憶媒体。
【請求項１８】
前記１又は複数のホットスポット装置は、第１のホットスポット装置及び第２のホットスポット装置を含み、前記動作は、
前記第１のホットスポット装置と前記１又は複数のスレーブ無線装置のうちの１又は複数の第１のスレーブ無線装置との間の無線通信のために前記第２の帯域の第１のチャネルを割り当てるステップと、
前記第２のホットスポット装置と前記１又は複数のスレーブ無線装置のうちの前記１又は複数の第２のスレーブ無線装置との間の無線通信のために前記第２の帯域の第２のチャネルを割り当てるステップであって、前記第２のチャネルは前記第１のチャネルと実質的に直交している、ステップと、
を更に有する、請求項１７に記載のコンピュータ可読記憶媒体。
【請求項１９】
前記１又は複数のホットスポット装置は、第１のホットスポット装置及び第２のホットスポット装置を含み、前記動作は、
前記第１のホットスポット装置と前記１又は複数のスレーブ無線装置のうちの１又は複数の第１のスレーブ無線装置との間の無線通信のために前記第２の帯域を割り当てるステップと、
前記第２のホットスポット装置と前記１又は複数のスレーブ無線装置のうちの１又は複数の第２のスレーブ無線装置との間の無線通信のために前記無線通信規格の第３の帯域を割り当てるステップと、
を更に有する、請求項１７に記載のコンピュータ可読記憶媒体。
【請求項２０】
前記１又は複数のホットスポット装置は、第１のホットスポット装置及び第２のホットスポット装置を有し、前記動作は、
前記第１のホットスポット装置と前記無線通信スーパバイザとの間の第１のリンクに関連付けられた第１のリンク指示子を決定するステップと、
前記第２のホットスポット装置と前記無線通信スーパバイザとの間の第２のリンクに関連付けられた第２のリンク指示子を決定するステップと、
前記第１のリンク指示子と前記第２のリンク指示子が互いの間のリンク指示子閾の範囲内にあることに基づき、ホットスポット装置として動作すべき前記第１のホットスポット装置及び前記第２のホットスポット装置を選択するステップと、
を更に有する、請求項１７に記載のコンピュータ可読記憶媒体。
【請求項２１】
前記リンク指示子閾は、前記第１のリンク指示子及び前記第２のリンク指示子に基づき、最大２個の変調及び符号化方式レベルにマッピングする、請求項２０に記載のコンピュータ可読記憶媒体。
【発明の詳細な説明】
【技術分野】
【０００１】
本開示は、無線装置テザリングのためのマルチバンドリソーススケジューリングに関する。
【背景技術】
【０００２】
タブレット、ラップトップコンピュータ、テレビジョン、ゲームシステム、Ｂｌｕ−ｒａｙ（登録商標）プレイヤ、及び他の電子装置のような多くの電子装置（概して「無線装置」として参照される）は、互いに及びインターネットのような他のネットワークに接続するために無線ネットワークを用いる。幾つかの例では、無線ネットワークを介して通信する無線装置に関連するデータレートは、無線装置と無線ネットワークのアクセスポイントとの間の無線通信リンク（「リンク」）に基づき得る。例えば、無線装置とアクセスポイントとの間のリンクの信号対雑音比（signal−to−noise  ratio：ＳＮＲ）がかなり高いとき、無線装置により経験されるデータレートはかなり高くなり得る。逆に、無線装置とアクセスポイントとの間のリンクのＳＮＲがかなり低いとき、無線装置により経験されるデータレートはかなり低くなり得る。
【０００３】
幾つかの例では、複数の無線装置は、幾つかの無線装置とアクセスポイントとの間の幾つかのリンクのリンク品質が他の無線装置とアクセスポイントとの間の他のリンクのリンク品質よりも良好である（例えば、ＳＮＲがより高い）場合、同じアクセスポイントに接続されても良い。さらに、無線ネットワークにより用いられ得る幾つかのプロトコル及び規格（例えば、ＩＥＥＥ（Institute  of  Electrical  and  Electronics  Engineers）８０２．１１無線通信規格（「ＷｉＦｉ」としても参照される））により、異なるリンク品質を有する無線装置が同じアクセスポイントに接続されるとき、レート異常問題が生じ得る。レート異常問題は、粗悪なリンク品質を有する無線装置が良好なリンク品質を有する無線装置により経験されるデータレートを、まるでリンク品質が粗悪であるかのようにしてしまう。
【０００４】
本願明細書で請求される主題は、上述のような欠点を解決する実施形態や上述のような環境でのみ機能する実施形態に限定されない。むしろ、この背景技術は、単に、本願明細書に記載される複数の実施形態が実施される技術分野の一例を説明するために提供される。
【発明の概要】
【発明が解決しようとする課題】
【０００５】
本開示は、無線装置テザリングのためのマルチバンドリソーススケジューリングを提供する。
【課題を解決するための手段】
【０００６】
一実施形態によると、無線通信をスケジューリングする方法は、無線ネットワークの無線通信スーパバイザと１又は複数の無線装置との間の無線通信のために無線通信規格の第１の帯域を割り当てるステップを有しても良い。１又は複数の無線装置は、１又は複数のホットスポット装置を有しても良い。方法は、１又は複数のホットスポット装置と１又は複数のスレーブ無線装置との間の無線通信のために無線通信規格の第２の帯域を割り当てるステップを更に有しても良い。１又は複数のホットスポット装置は、１又は複数のスレーブ無線装置と無線通信スーパバイザとの間の情報を中継するよう構成されても良い。方法は、１又は複数のホットスポット装置による通信の電力調整を決定するステップを更に有しても良い。電力調整は、第１の帯域及び第２の帯域のうちの１又は複数の範囲内の１又は複数のチャネルの輻輳に基づき決定されても良い。
【０００７】
実施形態の目的及び利点が理解され、少なくとも特に特許請求の範囲で指摘された要素、特徴及び組合せを用いて達成されるだろう。
【０００８】
上述の全体的説明及び以下の詳細な説明の両方は、例示及び説明のためであり、本発明の範囲を限定しないことが理解される。
【図面の簡単な説明】
【０００９】
例示的な実施形態は、添付の図面を用いて、更なる特異性及び詳細事項と共に記載され説明される。
【図１Ａ】例示的な無線通信ネットワークのプレテザリング構成を示す。
【図１Ｂ】図１Ａの無線通信ネットワークのテザリング構成を示す。
【図１Ｃ】図１Ａの無線通信ネットワークの変更されたテザリング構成を示す。
【図１Ｄ】図１Ａの無線通信ネットワークの別の変更されたテザリング構成を示す。
【図１Ｅ】図１Ａの無線通信ネットワークのマルチホップテザリング構成を示す。
【図２】無線装置をテザリングする例示的なシグナリングメカニズムを示す。
【図３】無線装置のテザリングに関連する例示的な制御ユニットを示す。
【図４】無線装置テザリングに関連する無線通信をスケジューリングする例示的な方法のフローチャートである。
【発明を実施するための形態】
【００１０】
無線通信は、電磁スペクトルの範囲内の特定の周波数において無線信号を送信することにより実行される。電磁スペクトルの範囲内の周波数範囲（「帯域」としても参照される）は、異なる種類の無線通信の干渉を回避するために、特定の種類の無線通信のために設計されている。例えば、ＩＥＥＥ（Institute  of  Electrical  and  Electronics  Engineers）８０２．１１無線通信規格（「ＷｉＦｉ」としても参照される）は、２．４ＧＨｚ帯、３．６ＧＨｚ帯、４．９ＧＨｚ帯、５ＧＨｚ帯、５．９ＧＨｚ帯、６０ＧＨｚ帯、及び／又は１又は複数の空白帯域（つまり、デジタルテレビジョン送信のために現在利用可能な帯域）の範囲内の周波数を用いても良い。さらに、各帯域は、更に小さな周波数範囲（「チャネル」としても参照される）に分割され、同じ種類の異なる無線通信が互いに干渉しないようにしても良い。
【００１１】
幾つかの無線通信規格（例えば、ＷｉＦｉ）は、無線ネットワークの無線通信スーパバイザ（例えば、アクセスポイント）が同じ帯域内の１又は複数の同じチャネルを用いて無線装置と通信するよう構成される。これらの例では、無線装置と無線通信スーパバイザとの間の通信は、干渉を回避するために異なる時間に実行され得る。さらに、無線装置は、無線通信スーパバイザと比較的弱い無線通信リンク（以下では「リンク」としても参照される）、例えば低信号対雑音比（signal−to−noise  ratio：ＳＮＲ）を有するリンクを介して通信するとき、無線装置は、無線通信スーパバイザと通信するために不相応な量の時間を使用し得る。比較的弱いリンクを有する無線装置により使用される不相応な量の時間は、無線通信スーパバイザとの強力なリンクを有する無線装置に、データを送信するための多くの時間を許容しないかもしれない。データを送信するための時間が減少する結果、より強いリンクを有する無線装置のデータの全体スループットを低減し得る。この減少は、「レート異常」問題として参照される場合が多い。
【００１２】
本願明細書に記載の少なくとも１つの実施形態によると、レート異常問題の例を減少するのを助けるために、無線ネットワークで動作する１又は複数の無線装置は、ホットスポット無線装置として設計され構成されても良い。１又は複数の無線装置は、１又は複数の無線装置と無線通信スーパバイザとの間の無線通信リンクの各々のリンク指示子（例えば、信号対雑音比（signal−to−noise：ＳＮＲ））に基づき、ホットスポット無線装置として設計され構成されても良い。無線通信スーパバイザとホットスポット装置との間の無線通信リンクは、「ホットスポットリンク」として参照されても良い。ホットスポットリンクのリンク指示子は、強いリンクを示しても良く、互いの閾値の範囲内であっても良い。個々のホットスポットリンクは概して同じスループット又はデータレート能力を有し得るので、閾値の範囲内にあるホットスポットリンクの各々のリンク指示子により、ホットスポット無線装置及び無線通信スーパバイザに関するレート異常問題は、回避され及び／又は低減される。さらに、無線通信規格の第１の帯域（例えば、２．４ＧＨｚのような第１のＷｉＦｉ帯域）のチャネルは、ホットスポット無線装置と無線ネットワークの無線通信スーパバイザとの間の無線通信のために割り当てられても良い。
【００１３】
ホットスポット無線装置は、無線通信スーパバイザと無線ネットワーク内の１又は複数の他の無線装置との間で情報を中継するよう構成されても良い。１又は複数の他の無線装置は、それぞれ、ホットスポット無線装置のうちの１つに対してスレーブ無線装置として動作しても良い。幾つかの実施形態では、各ホットスポット無線装置は、無線通信スーパバイザとして同じビーコン信号（例えば、ＳＳＩＤ（service  set  identification））を送信するよう構成されても良い。したがって、特定のホットスポット無線装置のスレーブ無線装置は、特定のホットスポット無線装置に関連付けられ、無線でテザリングされ得る。
【００１４】
さらに、特定のホットスポット無線装置とその個々のスレーブ無線装置との間のリンクは、個々のスレーブ無線装置と無線通信スーパバイザとの間のリンクより強くても良い。したがって、スレーブ無線装置は、特定のホットスポット無線装置に接続できる。その結果、無線通信スーパバイザと無線装置との間の弱いリンクのために前に無線通信スーパバイザとのレート異常問題を生じたことのある無線装置は、より強いリンクが存在し得るホットスポット無線装置のスレーブ無線装置として代わりに動作しても良い。
【００１５】
さらに、第１の帯域以外の無線通信規格の帯域（例えば、５ＧＨｚのような第２のＷｉＦｉ帯域）のチャネルは、ホットスポット無線装置の各々とそれらの個々のスレーブ無線装置との間の通信のために割り当てられても良い。ホットスポット無線装置と無線ネットワークスーパバイザとの間の通信のために及びホットスポット無線装置とそれらの個々のスレーブ無線装置との間の通信のために異なる帯域を使用することは、無線通信のために利用可能なスペクトルを良好に使用し、通信の干渉を低減し得る。さらに、ホットスポット無線通信と無線ネットワークスーパバイザとの間の通信のために及びホットスポット無線装置とそれらの個々のスレーブ無線装置との間の通信のために異なる帯域を使用することは、レート異常問題を低減又は回避し得る。なぜなら、レート異常問題は、通常、同じチャネルで生じる通信に関連するからである。
【００１６】
本開示の実施形態を、添付の図面を参照して以下に説明する。
【００１７】
図１Ａは、本開示の幾つかの実施形態による、レート異常問題を低減するために１又は複数の無線装置１０４のテザリングを実行するよう構成される、例示的な無線通信ネットワーク１００（以下では「ネットワーク１００」としても参照される）のプレテザリング構成１０１ａを示す。
【００１８】
ネットワーク１００は、１又は複数のアクセスポイント１０２を介して１又は複数の無線装置１０４に無線通信サービスを提供するよう構成されても良い。無線通信サービスは、音声サービス、データサービス、メッセージングサービス、及び／又はそれらの任意の適切な組合せであっても良い。図示の実施形態では、ネットワーク１００は、ＩＥＥＥ８０２．１１規格に準拠するＷｉＦｉネットワークであっても良い。しかしながら、本願明細書で教示される原理は、テザリングが利用可な及び／又はレート異常問題が生じ得る任意の適切な無線ネットワークで使用できる。例えば、本願明細書に記載の原理のうちの１又は複数は、ＬＴＥ（long−term  evolution）無線ネットワークのレート異常問題を解決するために適用されても良い。
【００１９】
アクセスポイント１０２は、無線装置１０４間の通信及び／又は無線装置１０４と有線ネットワークとの間の通信を無線（例えばＷｉＦｉ）接続を介して調整し得る任意の適切な無線通信ネットワーク通信ポイントであっても良い。例として限定ではなく、無線ルータはアクセスポイント１０２として動作しても良い。さらに、アクセスポイント１０２は、アクセスポイント１０２が無線通信規格の１より多い周波数帯域を介して通信可能であるマルチバンド能力を有しても良い。。例えば、アクセスポイント１０２は、２以上の無線通信機を有しても良く、無線通信機の各々は、少なくとも１つのＷｉＦｉ帯域で動作するよう構成される。
【００２０】
無線装置１０４は、無線通信サービスを得るためにネットワーク１００を使用し得る任意の装置を有しても良く、例として限定ではなく、携帯電話機、スマートフォン、ＰＤＡ（personal  data  assistant）、ラップトップコンピュータ、パーソナルコンピュータ、タブレットコンピュータ、ゲーム装置、スマートテレビジョン、ビデオディスクプレイヤ（例えば、Ｂｌｕ−ｒａｙプレイヤ）又は任意の他の類似の装置を含み得る。さらに、無線装置１０４のうちの１又は複数は、無線装置１０４のうちの１又は複数が無線通信規格のうちの１より多い周波数帯域を介して通信可能であり得るマルチバンド能力を有しても良い。例えば、アクセスポイント１０２と同様に、無線装置１０４のうちの１又は複数は、２以上の無線通信機を有しても良い。各無線通信機は、少なくとも１つのＷｉＦｉ帯域で動作するよう構成される。
【００２１】
プレテザリング構成１０１ａでは、無線装置１０４は、リンク１０６を介してアクセスポイント１０２に無線で接続されても良い。例えば、無線装置１０４ａはリンク１０６ａを介してアクセスポイント１０２に無線接続されもて良く、無線装置１０４ｂはリンク１０６ｂを介してアクセスポイント１０２に無線接続されもて良く、無線装置１０４ｃはリンク１０６ｃを介してアクセスポイント１０２に無線接続されもて良く、無線装置１０４ｄはリンク１０６ｄを介してアクセスポイント１０２に無線接続されもて良く、無線装置１０４ｅはリンク１０６ｅを介してアクセスポイント１０２に無線接続されもて良い。
【００２２】
アクセスポイント１０２は、リンク１０６の各々について１又は複数のリンク指示子を得るよう構成されても良い。リンク指示子は、リンク１０６の各々の強度又は品質を示しても良い。例えば、リンク指示子は、リンク１０６の利得、リンク１０６の各々を介した受信電力、及び／又はリンク１０６の各々のＳＮＲを示しても良い。アクセスポイント１０２は、それ自身の決定を行うことにより、及び／又は無線装置１０４から情報を受信することにより、リンク指示子を得ても良い。アクセスポイント１０２は、リンク品質を決定し得る任意の適切なプロトコルを用いてリンク指示子を得ても良い。
【００２３】
幾つかの実施形態では、アクセスポイント１０２は、１又は複数の無線装置１０４をホットスポット無線装置（以下では「ホットスポット装置」としても参照される）として選択し得る無線通信スーパバイザ（以下では「スーパバイザ」としても参照される）として動作するよう構成されても良い。ホットスポット装置は、個々のホットスポット装置のスレーブ無線装置（以下では「スレーブ装置」としても参照される）として動作し得る１又は複数の他の無線装置１０４に無線テザリングされても良い。ホットスポット装置はアクセスポイント１０２とそれら個々のスレーブ装置との間で情報を中継するよう構成され得るので、ホットスポット装置はそれらの個々のスレーブ装置に無線でテザリングされても良い。上述及び以下に詳述するように、無線装置１０４をホットスポット装置及びスレーブ装置として割り当てることは、レート異常問題を低減し及び／又は除去することにより無線装置１０４とアクセスポイント１０２との間の無線通信のスループットを向上し得る。
【００２４】
幾つかの実施形態では、アクセスポイント１０２は、リンク１０６の各々の１又は複数のリンク指示子に基づき、ホットスポット装置を選択しても良い。強力な関連リンク１０６を示す１又は複数のリンク指示子を有する無線装置１０４は、ホットスポット装置として選択されても良い。さらに、ホットスポット装置は、相対的に類似する値を有する関連リンク１０６のリンク指示子のうちの１又は複数に基づき、リンク指示子の中から選択されても良い。したがって、ホットスポット装置に関連付けられたリンク１０６は、実質的に同じスループットを有し得る。幾つかの実施形態では、ホットスポット装置は、ホットスポット装置の最良リンク１０６に対応するリンク指示子、及び互いの閾値の範囲内にあるホットスポット装置の最悪リンク１０６に対応するリンク指示子に基づき、選択されても良い。
【００２５】
例えば、幾つかの実施形態では、（無線通信スーパバイザとして動作する）アクセスポイント１０２は、リンク１０６の各々のＳＮＲを得るよう構成されても良い。次に、アクセスポイント１０２は、ＳＮＲを並べ替えて、リンク１０６のうちのどれが最高ＳＮＲを有するかを決定する。次に、アクセスポイント１０２は、最高ＳＮＲから、互いの閾値の範囲内にあるＳＮＲを選択しても良い。例えば、閾ＳＮＲ「γｔｈｒ」及び最高ＳＮＲ「γｌ」では、アクセスポイント１０２は、並べ替えたＳＮＲから、最初の「Ｋ」個のＳＮＲ「γｋ」を選択しても良い。ここで、「γｌ−γｋ≦γｔｈｒ」である。したがって、ＳＮＲγｌ乃至γｋに対応するリンク１０６に関連する無線装置１０４は、ホットスポット装置として選択されても良い。
【００２６】
別の例として、ＳＮＲを並べ替える代わりに、アクセスポイント１０２は、どのＳＮＲが最も高いかを決定しても良く、他のリンクの各々について他のＳＮＲのうちのどれが最高ＳＮＲの閾ＳＮＲの範囲内にあるかを決定しても良い。最高ＳＮＲの閾ＳＮＲの範囲内にある最高ＳＮＲを有するリンク１０６に関連する無線装置１０４は、ホットスポット装置として選択されても良い。例えば、閾ＳＮＲ「γｔｈｒ」及び最高ＳＮＲ「γｌ」では、アクセスポイント１０２は、ＳＮＲから、各ＳＮＲ「γｉ」を選択しても良い。ここで、「γｌ−γｉ≦γｔｈｒ」である。したがって、ＳＮＲγｌ及びγｉに対応するリンク１０６に関連する無線装置１０４は、ホットスポット装置として選択されても良い。ここで、「γｌ−γｉ≦γｔｈｒ」である。
【００２７】
幾つかの実施形態では、ネットワーク１００内の無線通信に用いられる異なる変調及び符号化方式（modulation  and  coding  schemes：ＭＣＳ）は、異なるリンク品質のために選択されても良い。したがって、異なるＭＣＳは異なるデータレートにマッピングしても良い。特定のデータレートに関連付けられたＭＣＳは、ＭＣＳレベルとして参照されても良い。したがって、異なるデータレートにマッピングする異なるＭＣＳはＭＣＳレベルとして参照されても良い。上述及び他の実施形態では、ホットスポット装置に関するレート異常問題の影響を低減するために、ホットスポット装置の関連リンク指示子が最大２個のＭＣＳレベルにマッピングするよう、リンク指示子の閾値が選択されても良い。
【００２８】
さらに、上述及び以下に詳述するように、アクセスポイント１０２とホットスポット装置との間の無線通信のために用いられ得る帯域は、ホットスポット装置とそれら個々のスレーブ装置との間の無線通信のために用いられる帯域とは異なっても良い。したがって、ホットスポット装置は、１より多い帯域の範囲内で通信し及び動作するマルチバンド能力を有するホットスポット装置に基づき選択されても良い。
【００２９】
図示の実施形態では、リンク１０６ａ及び１０６ｂは、リンク１０６のうちの最強のリンクであっても良く、互いの閾値の範囲内である１又は複数のリンク指示子を有しても良い。さらに、無線装置１０４ａ及び１０４ｂは、１より多い帯域で動作可能であっても良い。したがって、アクセスポイント１０２は、無線装置１０４ａ及び１０４ｂをホットスポット装置として選択しても良い。無線装置１０４ａ及び１０４ｂは、ホットスポット装置として動作するとき、本願明細書ではホットスポット装置１０４ａ及び１０４ｂとしても参照されても良い。
【００３０】
ホットスポット装置１０４ａ及び１０４ｂは、アクセスポイント１０２として同じビーコン信号（例えば、ＳＳＩＤ）をブロードキャストするよう構成されても良い。他の無線装置１０４は、それらが最強のビーコン信号を受信する装置（例えば、アクセスポイント１０２、ホットスポット装置１０４ａ、又はホットスポット装置１０４ｂ）に無線で接続しそれに関連するよう構成されても良い。したがって、ホットスポット装置１０４ａから最強のビーコン信号を受信する無線装置１０４は、ホットスポット装置１０４ａに無線接続し関連付けられても良い。したがって、それらは、ホットスポット装置１０４ａのスレーブ装置として、ホットスポット装置１０４ａに無線でテザリングされても良い。同様に、ホットスポット装置１０４ｂから最強のビーコン信号を受信する無線装置１０４は、ホットスポット装置１０４ｂに無線接続し関連付けられても良い。したがって、それらは、ホットスポット装置１０４ｂのスレーブ装置として、ホットスポット装置１０４ｂに無線でテザリングされても良い。
【００３１】
図１Ｂは、本願明細書に記載される少なくとも１つの実施形態による、ネットワーク１００のテザリング構成１０１ｂを示す。図１Ｂのテザリング構成１０１ｂでは、無線装置１０４ｃはホットスポット装置１０４ａのスレーブ装置であっても良く、無線装置１０４ｄ及び１０４ｅはホットスポット装置１０４ｂのスレーブ装置であっても良い。したがって、無線装置１０４ｃ、１０４ｄ、及び１０４ｅは、本願明細書ではスレーブ装置として動作するときスレーブ装置１０４ｃ、１０４ｄ、及び１０４ｅとして参照されても良い。さらに、テザリング構成１０１ｂに関し、リンク１０６ａ及び１０６ｂは、ホットスポットリンク１０６ａ及び１０６ｂとして参照されても良い。さらに、ホットスポット装置１０４ａとスレーブ装置１０４ｃとの間の無線接続はスレーブリンク１０８ａとして参照されても良く、ホットスポット装置１０４ｂとスレーブ装置１０４ｄとの間の無線接続はスレーブリンク１０８ｂとして参照されても良く、ホットスポット装置１０４ｂとスレーブ装置１０４ｅとの間の無線接続はスレーブリンク１０８ｃとして参照されても良い。
【００３２】
ホットスポットリンク１０６ａを介する通信は、ホットスポット装置１０４ａ向けの又はそれからの通信、及び／又はスレーブ装置１０４ｃ向けの又はそれからの通信であっても良く、ホットスポット装置１０４ａにより中継されても良い。同様に、ホットスポットリンク１０６ｂを介する通信は、ホットスポット装置１０４ａ向けの又はそれからの通信、及び／又はスレーブ装置１０４ｄ若しくはスレーブ装置１０４ｅ向けの又はそれからの通信であっても良く、ホットスポット装置１０４ｂにより中継されても良い。幾つかの実施形態では、ホットスポット装置１０４ａ及び１０４ｂは、それらの個々のスレーブ装置から受信したデータパケットを、個々のホットスポット装置により生成された又はアクセスポイント１０２への同じ通信で別のスレーブ装置から受信した別のデータパケットと統合するよう構成されても良い。
【００３３】
（無線通信スーパバイザとして動作する）アクセスポイント１０２は、ホットスポットリンク１０６ａ及び１０６ｂを介した無線通信のために用いられ得る１つの帯域及び１又は複数のチャネルを選択しても良い。ホットスポットリンク１０６ａ及び１０６ｂを介した無線通信のために選択された帯域及びチャネルは、以下では「ホットスポット帯域」及び「ホットスポットチャネル」として参照されても良い。幾つかの実施形態及び無線通信規格では（例えば、ＷｉＦｉアプリケーションでは）、ホットスポットリンク１０６ａ及び１０６ｂを介した無線通信は、同じホットスポット帯域及びホットスポットチャネルを用いても良い。例えば、ホットスポット帯域は５ＧＨｚＷｉＦｉ帯域であっても良く、ホットスポットチャネルは５ＧＨｚＷｉＦｉ帯域のチャネル３６及び４０であっても良い。このような構成では、ホットスポットリンク１０６ａ及び１０６ｂを介した無線通信は、５ＧＨｚＷｉＦｉ帯域のチャネル３６及び４０を介して実行されても良い。
【００３４】
アクセスポイント１０２は、ホットスポット装置１０４ａとスレーブ装置１０４ｃとの間の通信のためのホットスポット帯域と異なる第１のスレーブ帯域を選択しても良い。同様に、アクセスポイント１０２は、ホットスポット装置１０４ｂとスレーブ装置１０４ｄ及び１０４ｅとの間の通信のためのホットスポット帯域と異なる第２のスレーブ帯域を選択しても良い。例えば、ＷｉＦｉ構成では、５ＧＨｚＷｉＦｉ帯域がホットスポット帯域として選択されるとき、１又は複数の他のＷｉＦｉ帯域（例えば、２．４ＧＨｚ帯域、６０ＧＨｚ帯域、等）は、第１のスレーブ帯域及び第２のスレーブ帯域として選択されても良い。
【００３５】
第１のスレーブ帯域及び第２のスレーブ帯域は、幾つかの実施形態では同じ帯域であっても良い。第１のスレーブ帯域及び第２のスレーブ帯域が同じ帯域であるとき、アクセスポイント１０２は、ホットスポット装置１０４ａ及び１０４ｂとそれらの個々のスレーブ装置との間の通信のために、互いに実質的に直交する帯域内のチャネルを選択しても良い。例えば、２．４ＧＨｚＷｉＦｉ帯域は、第１のスレーブ帯域及び第２のスレーブ帯域の両方として選択されても良い。したがって、２．４ＧＨｚＷｉＦｉ帯域のうちのチャネル６は、ホットスポット装置１０４ａとスレーブ装置１０４ｃとの間の通信のために選択されても良く、２．４ＧＨｚＷｉＦｉ帯域のうちのチャネル１１は、ホットスポット装置１０４ｂとスレーブ装置１０４ｄ及び１０４ｅとの間の通信のために選択されても良い。
【００３６】
他の実施形態では、第１のスレーブ装置及び第２のスレーブ装置は、異なる帯域であっても良い。したがって、より多くの利用可能な電磁スペクトルが、無線通信のために使用できる。例えば、幾つかの実施形態では、第１のスレーブ帯域は２．４ＧＨｚ帯域であっても良く、第２のスレーブ帯域はＷｉＦｉにより使用され得るテレビジョン空白帯域であっても良い。
【００３７】
幾つかの実施形態及び無線通信規格では（例えば、ＷｉＦｉアプリケーションでは）、特定のホットスポット装置に関連付けられた全てのスレーブリンクを介する無線通信は、同じスレーブ帯域及び関連するスレーブチャネルを用いて実行されても良い。例えば、スレーブリンク１０８ｂ及び１０８ｃを介した通信は、同じスレーブ帯域及び関連するスレーブチャネルを用いても良い。
【００３８】
アクセスポイント１０２は、ホットスポット帯域及びホットスポットチャネル、並びにスレーブ帯域及び関連するスレーブチャネルを、任意の適切な基準に基づき選択しても良い。例えば、チャネル選択は、どのチャネルが最も輻輳していないかに基づいても良い。別の例では、幾つかの実施形態では、アクセスポイント１０２は、ホットスポット帯域がホットスポット装置１０４ａ及び１０４ｂの両方と互換性のある帯域であることに基づき、ホットスポット帯域を選択しても良い。
【００３９】
さらに、幾つかの場合には、無線装置１０４のうちの幾つかは、マルチバンド能力を有しない、及び別の帯域を介する特定の帯域と互換性がある可能性がより高くても良い。したがって、幾つかの実施形態では、アクセスポイント１０２は、ホットスポット帯域として、ホットスポット装置１０４ａ及び１０４ｂの両方と互換性があるが、広範囲の互換性は少ない帯域を選択しても良い。したがって、より多くの互換性を有する帯域又はより多数の互換性のある帯域がスレーブ帯域として使用できる。例えば、ＷｉＦｉでは、２．４ＧＨｚ帯域は、５ＧＨｚ帯域より広範囲の互換性があり得る。したがって、５ＧＨｚ帯域は、２．４ＧＨｚ帯域がスレーブ帯域として用いられることを可能にするために、ホットスポット帯域として選択されても良い。
【００４０】
ホットスポットチャネルの数は、ホットスポットリンク１０６ａ及び１０６ｂを介して送信され得るデータ量（「負荷」としても参照される）に基づき、アクセスポイント１０２により選択されても良い。したがって、ホットスポットリンク１０６ａ及び１０６ｂを介した通信のための特定の量の帯域幅が、それらの個々の負荷に基づき割り当てられ得る。例えば、相対的に大量のデータがホットスポットリンク１０６ａ及び１０６ｂを介して通信されているとき、ホットスポット帯域のうちの複数のチャネルは、ホットスポットリンク１０６ａ及び１０６ｂを介する通信のためにより多くの帯域幅を割り当てるために、選択されても良い。
【００４１】
幾つかの実施形態では、アクセスポイント１０２は、特定の帯域及び１又は複数のチャネルを、ホットスポット帯域及びホットスポットチャネルとして最初に割り当てるよう構成されても良い。アクセスポイント１０２は、どの帯域及びチャネルがホットスポット帯域及びホットスポットチャネルとして用いられるかを、リンク１０６を介して通信されるデータ量の変化に基づき及び／又はホットスポットリンク１０６のうちの１又は複数に関連付けられた１又は複数のリンク指示子の変化に基づき、動的に変化するよう構成されても良い。
【００４２】
同様に、特定のホットスポット装置１０４のために選択されるスレーブチャネルの数は、特定のホットスポット装置１０４に関連付けられたスレーブリンク１０８を介して送信され得るデータ量に基づいても良い。したがって、スレーブチャネルの数は、対応するスレーブリンク１０８の負荷に基づき、対応するスレーブリンク１０８を介する通信のために帯域幅を割り当てるよう、選択されても良い。例えば、スレーブリンク１０８ｂ及び１０８ｃを介して通信されるデータと比べて相対的に大容量のデータがスレーブリンク１０８ａを介して通信されても良い。このような場合には、アクセスポイント１０２は、ホットスポット装置１０４ａとスレーブ装置１０４ｄ及び１０４ｅとの間の通信よりも、多くのチャネル（及び結果としてより多くの帯域幅）をホットスポット装置１０４ａとスレーブ装置１０４ｃとの間の通信のために割り当てても良い。
【００４３】
幾つかの実施形態では、アクセスポイント１０２は、特定の帯域及び１又は複数のチャネルを、スレーブ帯域及びスレーブチャネルとして最初に割り当てるよう構成されても良い。幾つかの実施形態では、アクセスポイント１０２は、どの帯域及びチャネルがスレーブ帯域及びスレーブチャネルとして用いられるかを、スレーブリンク１０８を介して通信されるデータ量の変化に基づき及び／又はスレーブリンク１０８のうちの１又は複数に関連付けられた１又は複数のリンク指示子の変化に基づき、動的に変化するよう構成されても良い。幾つかの実施形態では、アクセスポイント１０２は、ホットスポット装置１０４ａ及び１０４ｂにより提供される情報（例えば、スレーブリンク１０８に関連付けられたリンク指示子、スレーブリンク１０８を介して通信されるデータ量、等）に基づき変更を行っても良い。
【００４４】
幾つかの場合には、ホットスポット装置１０４ａ及び１０４ｂは、アクセスポイント１０２の比較的近くにあっても良い。したがって、所望のスループット又はデータレートを維持しながら、ホットスポット装置１０４ａ及び１０４ｂからアクセスポイント１０２への通信の電力レベルは低減できる。したがって、幾つかの実施形態では、（無線通信スーパバイザとして動作する）アクセスポイント１０２は、アクセスポイント１０２においてホットスポット装置１０４ａ及び／又はホットスポット装置１０４ｂから受信されるアップリンク通信の電力調整を決定しても良い。幾つかの実施形態では、電力調整は、各ホットスポット装置の最小データレート要件を満たすために特定の帯域幅で各ホットスポット装置からアクセスポイント１０２への通信に必要な送信電力の最小量に基づき、決定されても良い。
【００４５】
例えば、幾つかの実施形態では、アクセスポイント１０２は、各利用可能帯域幅で各ホットスポット装置のために必要な最小送信電力を決定しても良い。次に、アクセスポイント１０２は、各帯域幅での各ホットスポット装置の最小送信電力を追加しても良く、最小送信電力の最小和に対応する帯域幅を選択しても良い。次に、アクセスポイント１０２は、選択された帯域幅でそれぞれのホットスポット装置の最低許容電力値でアップリンク信号を送信するよう、各ホットスポット装置に指示しても良い。
【００４６】
同様に、幾つかの実施形態では、所望のスループット又はデータレートを維持しながら、ホットスポット装置１０４ａ及び１０４ｂとそれらの個々のスレーブ装置との間の通信の電力レベルは、低減され得る。幾つかの実施形態では、ホットスポット装置１０４ａ及び１０４ｂとそれらの個々のスレーブ装置との間の通信の電力制御は、スレーブ装置のデータレート要件を満たす割り当てられた帯域幅に関して必要な最小電力を選択することにより決定されても良い。
【００４７】
幾つかの実施形態では、アクセスポイント１０２は、電力調整決定を実行するために、スレーブリンク１０８に関する十分な情報を有しくても良い。したがって、ホットスポット装置１０４ａ及び／又はホットスポット装置１０４ｂが電力調整決定を実行しても良い。他の実施形態では、必要な情報は、アクセスポイントが決定を行えるように、アクセスポイント１０２へ通信されても良い。さらに、上述の又は他の実施形態では、電力調整は、ホットスポット装置の個々のスレーブ装置によるものではなくホットスポット装置の個々のスレーブ装置への通信のためにホットスポット装置にのみ適用されても良い。他の実施形態では、電力調整は、スレーブ装置へ通信されても良い。したがって、スレーブ装置は、それらの個々のホットスポット装置への通信に対して電力調整を適用できる。
【００４８】
幾つかの実施形態では、上述の電力調整は、ホットスポット及び／又はスレーブチャネルの輻輳の量に基づき実行されても良い。例えば、アクセスポイント１０２及び／又はホットスポット装置１０４ａ及び１０４ｂが特定のチャネルは近くにある別の無線ネットワークにより使用されていることを検出しないとき、電力調整は、特定のチャネルを介する通信に対して実行されても良い。しかしながら、特定のチャネルが別の近くにある無線ネットワークにより使用されていると検出されるとき、幾つかの実施形態では、特定のチャネルを介した通信の電力が低減された場合、特定のチャネルを介して実行される近くの無線ネットワークからの通信は、特定のチャネルを介して実行されるネットワーク１００の通信と実質的に干渉するので、電力調整は実行されなくても良い。
【００４９】
例えば、ホットスポットチャネルは、５ＧＨｚＷｉＦｉ帯域のチャネル３６であっても良く、アクセスポイント１０２は、別の無線ネットワークが５ＧＨｚＷｉＦｉ帯域のチャネル３６を使用していることを検出しても良い。したがって、アクセスポイント１０２は、電力調整を決定しなくても良く、５ＧＨｚＷｉＦｉ帯域のチャネル３６を介したアクセスポイント１０２へのアップリンク通信の電力を調整するようホットスポット装置１０４ａ及び１０４ｂに指示しなくても良い。反対に、アクセスポイント１０２が、５ＧＨｚＷｉＦｉ帯域のチャネル３６が別の無線ネットワークにより使用されていることを検出しないとき、アクセスポイント１０２は、電力調整を実行し通信しても良い。したがって、電力調整は、５ＧＨｚＷｉＦｉ帯域のチャネル３６を介するアップリンク通信に対して実行される。ホットスポット装置１０４ａ及び１０４ｂは、それら個々のスレーブチャネルが別の無線ネットワークにより使用されていると検出されるか否かに基づき、それらの個々のスレーブ装置との通信に対して電力調整を実行するか否かを同様に決定しても良い。
【００５０】
幾つかの実施形態では、（無線通信スーパバイザとして動作する）アクセスポイント１０２は、電力調整が実行されるか否かを、ホットスポット装置１０４ａ及び１０４ｂへ通信され得るホットスポット電力制御フラグを設定又は設定解除することにより１又は複数のホットスポットチャネルを介してホットスポット装置１０４ａ及び１０４ｂに示しても良い。上述の又は他の実施形態では、（無線通信スーパバイザとして動作する）アクセスポイント１０２は、電力調整が実行されるか否かを、ホットスポット装置１０４ａ及び１０４ｂへ通信され得るスレーブ電力制御フラグを設定又は設定解除することによりそれらの個々のスレーブチャネルのうちの１又は複数を介してホットスポット装置１０４ａ及び１０４ｂに示しても良い。
【００５１】
無線装置１０４のうちの１又は複数は、テザリング構成１０１ｂが変化するように移動し得る場合が多い。例えば、幾つかの場合には、スレーブ装置として動作する特定の無線装置１０４は、現在のホットスポット装置より、異なるホットスポット装置との又はアクセスポイント１０２との良好な接続を有するように、移動しても良い。したがって、ハンドオフが実行されても良い。ハンドオフでは、特定の無線装置は、異なるホットスポット装置の新しいスレーブ装置として異なるホットスポット装置を介して、又は新しいホットスポット装置としてのアクセスポイント１０２から直接に、又は単に正規の無線装置として、無線通信サービスを受信しても良い。幾つかの実施形態では、アクセスポイント１０２は、テザリング構成の変化に従って帯域幅を再割り当てしても良い。
【００５２】
例として、図１Ｃは、本願明細書に記載の少なくとも１つの実施形態による、テザリング構成１０１ｂと比べて無線装置１０４ｃが移動している変更されたテザリング構成１０１ｃを示す。図示の実施形態では、無線装置１０４ｃは、無線装置１０４ａから離れ、アクセスポイント１０２へ向かって移動しても良い。したがって、無線装置１０４ｃは、リンク１０８ａを介する無線装置１０４ａとの前の無線接続（図１Ｂに示すが、図１Ｃに示されない）よりも、リンク１０６ｃを介してアクセスポイント１０２との良好な無線接続を有しても良い。したがって、ハンドオフは、無線装置１０４ａとアクセスポイント１０２との間で実行されても良い。その結果、無線装置１０４は、無線装置１０４ａによりサービスされるスレーブ装置である代わりに、リンク１０６ｃを介してアクセスポイント１０２から直接に無線通信サービスを受信しても良い。
【００５３】
さらに、幾つかの実施形態では、（無線通信スーパバイザとして動作する）アクセスポイント１０２は、無線装置１０４ｃのハンドオフによる負荷の変化に基づき、ホットスポット帯域、ホットスポットチャネル、スレーブ帯域、及び／又はスレーブチャネル割り当てを変更しても良い。例えば、図１Ｂのテザリング構成１０１ｂでは、無線装置１０４ａ及び無線装置１０４ｂは、それらの個々のスレーブ帯域として２．４ＧＨｚＷｉＦｉ帯域を割り当てられ、チャネル６が無線装置１０４ａに割り当てられ、チャネル１１が無線装置１０４ｂに割り当てられても良い。しかしながら、図１Ｃの変更されたテザリング構成１０１ｃでは、無線装置１０４ａは、もはやホットスポット装置として動作しないので、２．４ＧＨｚＷｉＦｉ帯域のチャネル６を介する如何なる負荷も存在しない。したがって、２．４ＧＨｚＷｉＦｉ帯域のチャネル６は、無線装置１０４ｂのための追加スレーブチャネルとして割り当てることができる（例えば、スレーブリンク１０８ｂ及び１０８ｃを介する帯域幅の増大が望ましいとき）。さらに、上述及び他の場合に、ポストテザリング構成１０１ｃでは、アクセスポイント１０２は、アクセスポイント１０２と無線装置１０４ｃとの間の追加通信によるホットスポット帯域及びホットスポットチャネルを介したトラフィックが増大するので、ホットスポット帯域の別のチャネルをホットスポットチャネルとして割り当てても良い。
【００５４】
無線装置１０４による移動の別の例として、幾つかの場合には、ホットスポット装置として動作する特定の無線装置１０４は、アクセスポイント１０２との該無線装置１０４のリンクの強度がホットスポット装置にとって許容できる強度から外れるように移動しても良い。したがって、アクセスポイント１０２は、特定の無線装置１０４がもはやホットスポット装置ではないと決定しても良い。幾つかの場合には、次に、特定の無線装置１０４は、特定の無線装置１０４の比較的近くにあるホットスポット装置に関連しても良い。したがって、特定の無線装置はホットスポット装置のスレーブであっても良い。さらに、特定の無線装置１０４の前のスレーブ装置のうちの任意のものは、別のホットスポット装置にも関連しても良い。幾つかの実施形態では、（無線通信スーパバイザとして動作する）アクセスポイント１０２は、ポストテザリング構成の変化に従って、チャネル及び割り当てられた帯域幅を再割り当てしても良い。
【００５５】
例として、図１Ｄは、本願明細書に記載の少なくとも１つの実施形態による、図１Ｂのテザリング構成１０１ｂにおける場所に対して無線装置１０４ｃが移動している変更されたテザリング構成１０１ｄを示す。図示の実施形態では、無線通信１０４ａは、アクセスポイント１０２から離れて移動しても良い。したがって、ホットスポットリンク１０６ａ（図１Ｂに示すが図１Ｄには示さない）は、無線通信１０４ａについては、ホットスポット装置として動作するための要件を満たさない。したがって、アクセスポイント１０２は、無線装置１０４ａからホットスポット装置割り当てを解除しても良い。次に、無線装置１０４ａは、ホットスポット装置１０４ｂのスレーブ装置として、スレーブリンク１０９ａを介してホットスポット装置１０４ｂに無線接続しても良い。さらに、図１Ｂのテザリング構成１０１ｂでは無線装置１０４ａのスレーブ装置であった無線装置１０４ｃは、ホットスポット装置１０４ｂのスレーブ装置として、スレーブリンク１０９ｂを介してホットスポット装置１０４ｂに無線接続しても良い。
【００５６】
さらに、幾つかの実施形態では、（無線通信スーパバイザとして動作する）アクセスポイント１０２は、無線装置１０４ａの移動によるデータ負荷の変化に基づき、ホットスポット帯域、ホットスポットチャネル、スレーブ帯域、及び／又はスレーブチャネル割り当てを変更しても良い。例えば、ホットスポット装置１０４ｂのスレーブ装置として無線装置１０４ａ及び１０４ｃが追加されることによりスレーブ帯域及びスレーブチャネルを介するトラフィックが増大するので、アクセスポイント１０２は、ホットスポット装置１０４ｂに関連付けられたスレーブ帯域の別のチャネルを割り当てても良い。さらに、幾つかの実施形態では、（無線通信スーパバイザとして動作する）アクセスポイント１０２は、相対的に高頻度で動き回る無線装置１０４をホットスポット装置として割り当てるのを回避し、図１Ｂのテザリング構成１０１ｂから図１Ｄの変更されたテザリング構成１０１ｄへの変化に関連する状況と類似する状況を回避し又は低減しても良い。
【００５７】
幾つかの実施形態では、スレーブ装置は、マルチホップテザリング構成において、別の無線装置に対してホットスポット装置として動作しても良い。例えば、図１Ｅは、本願明細書に記載の少なくとも１つの実施形態による、マルチホップテザリング構成１０１ｅを示す。マルチホップテザリング構成１０１ｅでは、無線装置１０４ｃは、スレーブリンク１０９ｂを介して無線装置１０４ｂに無線接続されても良い。したがって、無線装置１０４ｃは、ホットスポット装置１０４ｂのスレーブ装置であっても良い。さらに、無線装置１０４ａは、スレーブリンク１１１を介して無線接続１０４ｃに無線接続されても良い。したがって、無線装置１０４ａは、無線装置１０４ｃのスレーブ装置であっても良い。したがって、無線装置１０４ｃは、スレーブ装置及びホットスポット装置の両者として動作しても良い。
【００５８】
マルチホップテザリング構成１０１ｅでは、無線装置１０４ｂは、無線通信スーパバイザとして１又は複数の動作を実行しても良い。例えば、無線装置１０４ｂは、アクセスポイント１０２がホットスポット装置を選択することに関して上述したのと同様の方法で、無線装置１０４ｂ自身の個々のスレーブ装置からホットスポット装置を選択するよう構成されても良い。さらに、幾つかの実施形態では、無線通信スーパバイザとして動作する無線装置１０４ｂは、無線装置１０４ｂと無線装置１０４ｃとの間の通信のために下位ホットスポット帯域及び１又は複数の下位ホットスポットチャネルを、並びに無線装置１０４ｃと無線装置１０４ａとの間の通信のために下位スレーブ帯域及び１又は複数の下位スレーブチャネルを選択しても良い。他の実施形態では、アクセスポイント１０２は、下位ホットスポット帯域、下位ホットスポットチャネル、下位スレーブ帯域、及び下位スレーブチャネルを選択する無線通信スーパバイザとして動作しても良い。
【００５９】
マルチホップ構成では、隣接レベル間で通信のために選択された帯域は異なっても良い。しかし、非隣接レベル間で通信のために選択された帯域は同じ又は異なっても良い。例えば、マルチホップテザリング構成１０１ｅでは、アクセスポイント１０２と無線装置１０４ｂとの間の通信は第１のレベルであると考えられ、無線装置１０４ｂと無線装置１０４ｃ、１０４ｄ及び１０４ｅとの間の通信は第２のレベルであると考えられ、無線装置１０４ｃと無線装置１０４ａとの間の通信は第３のレベルであっても良い。したがって、第１のレベル及び第２のレベルのために用いられる帯域は、互いに異なっても良い。また、第２のレベル及び第３のレベルのために用いられる帯域は、互いに異なっても良い。しかしながら、第１のレベル及び第３のレベルのために用いられる帯域は、同じ又は異なっても良い。第１のレベル及び第３のレベルのために用いられる帯域が同じとき、干渉を回避又は低減するために、第１のレベル及び第３のレベルのために異なるチャネルが選択されても良い。上述又は他の実施形態では、干渉を回避し又は低減するために、電力制御と関連して同じチャネルが第１及び第３のレベルのために用いられても良い。
【００６０】
したがって、図１Ａ〜１Ｅのネットワーク１００は、幾つかの無線ネットワークに関連し得るレート異常問題を低減し又は除去し得る任意の数のテザリング構成を有するよう構成されても良い。本開示の範囲から逸脱することなく図１Ａ〜１Ｅに対し変更、追加又は省略が行われてもよい。例えば、図示の特定のテザリング構成は、任意の数のテザリング構成のうちの単なる例である。さらに、図示の無線装置の数は、説明を目的とした単なる例であり、限定ではない。
【００６１】
図２は、本願明細書に記載の少なくとも１つの実施形態による、無線装置をテザリングする例示的なシグナリングメカニズム２００を示す。シグナリングメカニズム２００の１又は複数の動作は、無線通信スーパバイザ２０２（以下では「スーパバイザ２０２」とも称される）、ホットスポット装置２０４、及び／又はスレーブ装置２０６により実行されても良い。幾つかの実施形態では、図１Ａ〜１Ｅのアクセスポイント１０２のような無線ネットワークのアクセスポイントは、スーパバイザ２０２であっても良い。上述の又は他の実施形態では、マルチホップテザリング構成の特定の無線装置は、スーパバイザ２０２であっても良い。ここで、特定の無線装置のスレーブ装置は、１又は複数の下位スレーブ装置へのホットスポット装置であっても良い。例えば、図１Ｅのマルチホップテザリング構成１０１ｅの無線装置１０４ｂは、スーパバイザ２０２であっても良い。図１Ａ〜１Ｅにの無線装置１０４ａ〜１０４ｅのような任意の適切な無線装置は、ホットスポット装置２０４又はスレーブ装置２０６であっても良い。
【００６２】
シグナリングメカニズム２００では、ステップ２０８で、スーパバイザ２０２は、スーパバイザ２０２に無線接続されるどの無線装置がホットスポット装置であるかを決定しても良い。幾つかの実施形態では、スーパバイザ２０２は、上述のリンク指示子及びリンク指示子閾に従ってホットスポット装置を決定しても良い。
【００６３】
ステップ２１０で、スーパバイザ２０２は、初期割り当てとして、スーパバイザ２０２と１又は複数のホットスポット装置との間の通信のためにホットスポット帯域及びホットスポットチャネルとして用いられ得る帯域及び１又は複数の関連するチャネルを決定しても良い。さらに、ステップ２１０で、スーパバイザ２０２は、初期割り当てとして、ホットスポット装置とそれらの関連するスレーブ装置との間の通信のためにスレーブ帯域及びスレーブチャネルとして用いられ得る１又は複数の帯域及び１又は複数の関連するチャネルを決定しても良い。
【００６４】
ステップ２１２で、スーパバイザ２０２は、ホットスポット帯域及びホットスポットチャネルを示す情報をホットスポット装置２０４へ通信しても良い。ホットスポット帯域及びホットスポットチャネルを受信した後に、ホットスポット装置２０４は、示されたホットスポット帯域及びホットスポットチャネルで動作するよう、ホットスポット装置２０４自身の無線機の１つを構成しても良い。幾つかの実施形態では、ステップ２１２で、１又は複数のホットスポットチャネルを介した電力制御か否かを示すホットスポットフラグが通信される。これは、ホットスポットチャネルの輻輳に基づいても良い。
【００６５】
ステップ２１４で、スーパバイザ２０２は、ホットスポット装置２０４に割り当てられたスレーブ帯域及びスレーブチャネルを示す情報をホットスポット装置２０４へ通信しても良い。スレーブ帯域及びスレーブチャネルを受信した後に、ホットスポット装置２０４は、示されたスレーブ帯域及びスレーブチャネルで動作するよう、ホットスポット装置２０４自身の無線機の別の１つを構成しても良い。幾つかの実施形態では、ステップ２１４で、、１又は複数のスレーブチャネルを介した電力制御か否かを示すスレーブフラグが通信される。これは、スレーブチャネルの輻輳に基づいても良い。
【００６６】
ステップ２１６で、ホットスポット装置２０４は、示されたスレーブ帯域及びスレーブチャネルでビーコン信号（例えば、ＳＳＩＤ信号）を送信しても良い。ステップ２１６で、ビーコン信号は、スレーブ装置２０６のような１又は複数のスレーブ装置により受信されても良い。スレーブ装置２０６を含む、ビーコン信号を受信するスレーブ装置のうちの１又は複数は、受信したビーコン信号に基づき、ホットスポット装置２０４に関連しても良い。例えば、ホットスポット装置２０４により送信されたビーコン信号のスレーブ装置２０６により受信されたときの信号強度が、スーパバイザ２０２又は別のホットスポット装置により送信されたビーコン信号の信号強度より高いとき、スレーブ装置２０６は、ホットスポット装置２０４のスレーブ装置としてホットスポット装置２０４に関連しても良い。
【００６７】
ステップ２１８で、ホットスポット装置２０４は、ホットスポット帯域及びホットスポットチャネルを介して、ホットスポット情報をホットスーパバイザ２０２へ通信しても良い。ホットスポット情報は、スレーブ装置としてホットスポット装置２０４に接続された無線装置のリスト（例えば、スレーブ装置２０６を含むリスト）、ホットスポット装置２０４とスーパバイザ２０２との間のリンクの１又は複数のリンク指示子（例えば、ＳＮＲ、利得、等）、ホットスポット装置２０４とその関連するスレーブ装置との間の１又は複数のリンク指示子（例えば、ＳＮＲ、利得、等）、及び／又はホットスポット装置として動作するホットスポット装置２０４に関連する負荷（例えば、ホットスポット装置２０４とその関連するスレーブ装置との間で通信されるデータ量）を示しても良い。
【００６８】
幾つかの実施形態では、ステップ２２０で、スーパバイザ２０２は、ホットスポット装置２０４からスーパバイザ２０２へ送信され得るアップリンク信号の電力制御を決定しても良い。電力制御は、１又は複数のリンク指示子のような、ステップ２１８で送信されたホットスポット情報に含まれる情報に基づいても良い。幾つかの実施形態では、スーパバイザ２０２は、上述の電力調整に基づき電力制御を決定しても良い。ステップ２２２で、スーパバイザ２０２は、ホットスポット装置２０４からスーパバイザ２０２への後続のアップリンク通信の電力値を、ホットスポット帯域及びホットスポットチャネルを介してホットスポット装置２０４に通信しても良い。上述の及び他の実施形態では、スーパバイザ２０２が別の無線ネットワークがホットスポットチャネルを使用していると検出すると、スーパバイザ２０２は、アップリンク信号及びホットスポット装置２０４への対応する通信の電力制御に関連するステップ２２０及び２２２を実行しなくても良い。幾つかの実施形態では、スーパバイザ２０２は、ホットスポットフラグが設定されているか否かに基づき、ステップ２２０を実行しても良く又は実行しなくても良い。
【００６９】
ステップ２２４で、ホットスポット装置２０４に関連するスレーブ帯域及びスレーブチャネルを介して、スーパバイザ２０２宛のスレーブアップリンクデータを、スレーブ装置２０６は送信しても良く、ホットスポット装置２０４は受信しても良い。幾つかの実施形態では、スレーブ装置２０６は、ホットスポット装置２０４とスレーブ装置２０６との間のリンクの１又は複数のリンク指示子（例えば、ＳＮＲ、利得、等）をスレーブアップリンクデータと共に含んでも良い。ステップ２２６で、ホットスポット装置２０４は、それ自身のホットスポットアップリンクデータと共にスレーブアップリンクデータを集約しても良く、ホットスポット帯域及びホットスポットチャネルを介して、スレーブアップリンクデータ及びホットスポットアップリンクデータの両方をスーパバイザ２０２へ通信しても良い。ステップ２２２におけるように、ホットスポット装置２０４がアップリンク電力値を受信するとき、ホットスポット装置２０４は、受信したアップリンク電力値に従って、スレーブアップリンクデータ及びホットスポットアップリンクデータを通信しても良い。或いは、ホットスポット装置２０４は、規定電力値（例えば、最大許容電力）に従って、スレーブアップリンクデータ及びホットスポットアップリンクデータを通信しても良い。
【００７０】
ステップ２２７で、スーパバイザ２０２は、ホットスポット２０４に、ホットスポット帯域及びホットスポットチャネルを介して、スレーブ装置２０６宛のスレーブダウンリンクデータを通信しても良い。幾つかの実施形態では、ステップ２２８で、ホットスポット装置２０４は、スレーブ装置２０６からホットスポット装置２０４へ送信されるダウンリンク信号の電力制御を決定しても良い。電力制御は、ホットスポット装置２０４とスレーブ装置２０６との間のリンクに関連する１又は複数のリンク指示子のような、ステップ２２４でホットスポット装置２０４へ通信された情報に基づいても良い。幾つかの実施形態では、ホットスポット装置２０４は、上述の電力調整に基づき電力制御を決定しても良い。上述の及び他の実施形態では、ホットスポット装置２０４（又はスーパバイザ２０２）が別の無線ネットワークがスレーブチャネルを使用していると検出すると、ホットスポット装置２０４は、ダウンリンク信号及びスレーブ装置２０６へのダウンリンク信号の電力制御に関連するステップ２２８を実行しなくても良い。幾つかの実施形態では、ホットスポット装置２０４は、スレーブフラグが設定されているか否かに基づき、ステップ２２８を実行しても良く又は実行しなくても良い。
【００７１】
ステップ２３０で、ホットスポット装置２０４は、スレーブ装置２０６へ、スレーブ帯域及びスレーブチャネルを介して、ステップ２２７でスーパバイザ２０２から受信したスレーブダウンリンクデータを通信しても良い。ステップ２２８におけるように、電力制御が決定されると、ホットスポット装置２０４は、決定された電力レベルに従って、スレーブダウンリンクデータを通信しても良い。或いは、ホットスポット装置２０４は、規定電力設定に基づき、スレーブダウンリンクデータを通信しても良い。
【００７２】
ステップ２３２で、ホットスポット装置２０４は、更新されたホットスポット情報をスーパバイザ２０２へ通信しても良い。更新されたホットスポット情報は、ホットスポット装置２０４にスレーブ装置として接続されている無線装置の更新されたリスト、ホットスポット装置２０４とスーパバイザ２０２との間のリンクの１又は複数のリンク指示子（例えば、ＳＮＲ、利得、等）の更新、ホットスポット装置２０４とスレーブ装置２０６との間のリンクの１又は複数のリンク指示子の更新、及び／又はホットスポット装置２０４に関連する負荷の更新を示しても良い。
【００７３】
ステップ２３４で、スーパバイザ２０２は、受信した更新されたホットスポット情報に基づき、チャネル及び／又は帯域割り当てを更新しても良い。例えば、スーパバイザ２０２は、負荷情報に基づき、ホットスポット装置２０４がその個々のスレーブ装置と通信するために使用するために割り当てられたスレーブチャネルの数を増加又は減少しても良い。
【００７４】
したがって、シグナリングメカニズム２００は、本願明細書に記載の無線装置のテザリングにも用いることができる。本開示の範囲から逸脱することなくシグナリングメカニズム２００に対し変更、追加又は省略が行われても良い。例えば、当業者は、シグナリングメカニズム２００に関して記載された動作が異なる順序で実施されても良いことを理解する。例えば、ステップ２３４で実行された割り当ての更新は、ステップ２１８でホットスポット情報を受信した後にスーパバイザ２０２により実行されても良い。別の例では、アップリンク電力制御決定は、幾つかの場合にはホットスポット装置２０４により実行されても良い。さらに、幾つかの実施形態では、ダウンリンク電力制御決定は、スレーブ装置２０６へ通信されても良い。したがって、スレーブ装置２０６は、ダウンリンク電力制御決定に基づき、ホットスポット装置へのスレーブ装置２０６のアップリンク通信の電力を調整できる。
【００７５】
さらに、概略のステップ及び動作は、単に例として提供され、幾つかのステップ及び動作は、開示の実施形態の本質から逸脱することなく、任意であり、より少ないステップ及び動作に組み合わされ、又は追加ステップ及び動作に拡張されても良い。さらに、１又は複数のステップは同時に実行されても良く、又は１又は複数の他の動作を有しても良い。
【００７６】
図３は、本開示の少なくとも１つの実施形態に従って配置された、無線装置のテザリングに関連する例示的な制御ユニット３０１を示す。例えば、幾つかの実施形態では、制御ユニット３０１は、アクセスポイント１０２及び／又は図１Ａ〜１Ｅの無線装置１０４のいづれかに含まれても良い。さらに、制御ユニット３０１は、本願明細書に記載のようなホットスポット装置、スレーブ装置、及び／又は無線通信スーパバイザとして動作する装置に関連する動作を可能にしても良い。
【００７７】
制御ユニット３０１は、プロセッサ３０８及びメモリ３１０を有しても良い。プロセッサ３０８は、種々のコンピュータハードウェア又はソフトウェアモジュールを含む任意の適切な特定目的又は汎用目的コンピュータ、コンピューティングエンティティ、又は処理装置であっても良い。例えば、プロセッサ３０８は、マイクロプロセッサ、マイクロコントローラ、デジタシグナルプロセッサ（ＤＳＰ）、特定用途向け集積回路（ＡＳＩＣ）、フィールドプログラマブルゲートアレイ（FPGA）又はプログラム命令を解釈し及び／若しくは実行し並びに／又はデータを処理するよう構成された任意の他のデジタル若しくはアナログ回路を有しても良い。図３には単一のプロセッサを示したが、プロセッサ３０８は任意の数の演算を実行するよう構成される任意の数のプロセッサを有しても良いことが理解される。
【００７８】
メモリ３１０は、コンピュータにより実行可能な命令又はデータ構造を伝える又は格納しているコンピュータ可読媒体を含み得る。このようなコンピュータ可読媒体は、汎用又は特定目的コンピュータによりアクセスできる利用可能な媒体であり得る。例として且つ限定ではなく、このようなコンピュータ可読媒体は、ＲＡＭ（Random  Access  Memory）、ＲＯＭ（Read−Only  Memory）、ＥＥＰＲＯＭ（Electrically  Erasable  Programmable  Read−Only  Memory）、ＣＤ−ＲＯＭ（Compact  Disc  Read−Only  Memory）又は他の光ディスク記憶装置、磁気ディスク記憶装置又は他の磁気記憶装置、フラッシュメモリ装置（例えば、固体メモリ素子）を含む有形又は非一時的コンピュータ可読記憶媒体、又はコンピュータにより実行可能な命令若しくはデータ構造の形式で所望のプログラムコード手段を伝える若しくは格納するために用いられ汎用若しくは特定目的コンピュータによりアクセス可能な他の媒体を有し得る。上述の組合せも、コンピュータ可読媒体の範囲に包含され得る。コンピュータ実行可能命令は、例えば、プロセッサ３０８に無線装置のテザリングに関連する特定の機能又は動作、又は無線通信のテザリングに関連する一群の機能又は動作を実行させる命令及びデータを有しても良い。
【００７９】
図示の実施形態では、メモリ３１０は、構成モジュール３１２、モビリティ管理モジュール３１４、及びフロー制御モジュール３１６を有しても良い。構成モジュール３１２、モビリティ管理モジュール３１４、及びフロー制御モジュール３１６は、無線通信スーパバイザに関連する動作のための命令を有しても良い。例えば、フロー制御モジュール３１６は、どの無線装置がホットスポット装置として動作するかの選択に対応する動作に関連する命令を有しても良い。構成モジュール３１２は、帯域及びチャネル選択及び割り当てに対応する動作に関連する命令を有しても良い。モビリティ管理モジュール３１４は、無線装置の動きに対応する動作に関連する命令を有しても良い。示した特定のモジュールは単なる例であり、命令の任意の適切な構成が用いられても良いことが理解される。
【００８０】
さらに、本願明細書で用いられるように、用語「モジュール」又は「コンポーネント」は、モジュール若しくはコンポーネントの動作を実行するよう構成される特定ハードウェア実装、及び／又はコンピューティングシステムの汎用ハードウェア（例えばコンピュータ可読媒体、処理装置、等）に格納され及び／又はそれらにより実行され得るソフトウェアオブジェクト若しくはソフトウェアルーチンを表しても良い。幾つかの実施形態では、本願明細書に記載されたのと異なるコンポーネント、モジュール、エンジン及びサービスは、（例えば、別個のスレッドとして）コンピューティングシステムで実行されるオブジェクト又は処理として実施されても良い。本願明細書に記載のシステム及び方法の幾つかは概して（汎用ハードウェアに格納される及び／又はそれにより実行される）ソフトウェアで実装されるように記載されたが、専用ハードウェアの実装又はソフトウェアと専用ハードウェアの組み合わせの実装も可能であり考えられる。この説明では、「コンピュータエンティティ」は、本願明細書で先に定められたようにコンピューティングシステム、又はコンピューティングシステムで実行されるモジュール若しくはモジュールの組合せであっても良い。
【００８１】
図４は、本開示の少なくとも１つの実施形態に従って配置された、無線装置のテザリングに関連する無線通信をスケジューリングする例示的な方法４００のフローチャートである。方法４００は、幾つかの実施形態では、図３の制御ユニット３０１のような、１又は複数の無線装置及び／又はアクセスポイントに含まれる１又は複数の制御ユニットにより実施されても良い。別個のブロックとして示したが、所望の実装に依存して、方法４００の種々のブロックは、更なるブロックに分割され、少ないブロックに結合され、又は除去されても良い。
【００８２】
方法４００はブロック４０２で開始しても良い。ブロック４０２で、１又は複数の無線装置は、１又は複数のスレーブ無線装置と無線通信スーパバイザとの間で情報を中継するよう構成されるホットスポット装置として選択されても良い。幾つかの実施形態では、上述のように、１又は複数のホットスポット装置は、リンク指示子閾と、ホットスポット装置と無線通信スーパバイザとの間のリンクのリンク指示子とに基づき選択されても良い。
【００８３】
ブロック４０４で、無線通信規格の第１の帯域は、無線通信スーパバイザとホットスポット装置との間の無線通信のために割り当てられても良い。さらに、第１の帯域の１又は複数のチャネルは、無線通信スーパバイザとホットスポット装置との間の無線通信のために割り当てられても良い。幾つかの実施形態では、無線通信規格はＷｉＦｉ規格であっても良く、第１の帯域及び関連するチャネルは、ＷｉＦｉ帯域及びチャネルのうちの１つであっても良い。
【００８４】
ブロック４０６で、無線通信規格の第２の帯域は、ホットスポット装置と１又は複数のスレーブ装置との間の無線通信のために割り当てられても良い。さらに、第２の帯域の１又は複数のチャネルは、ホットスポット装置とスレーブ装置との間の無線通信のために割り当てられても良い。幾つかの実施形態では、１より多いホットスポット装置が存在するとき、第２の帯域は、ホットスポット装置とその関連するスレーブ装置との間の無線通信のために割り当てられても良く、第３の帯域は、別のホットスポット装置とその関連するスレーブ装置との間の無線通信のために割り当てられても良い。上述のまたは他の実施形態では、第２の帯域は、２以上のホットスポット装置とそれらの関連するスレーブ装置との間の通信のために割り当てられても良い。しかし、第２の帯域の互いに実質的に直交する異なるチャネルは、異なるホットスポット装置間に割り当てられても良い。
【００８５】
ブロック４０８で、１又は複数のホットスポット装置による通信のための電力調整が決定されても良い。幾つかの実施形態では、電力調整は、第１の帯域及び／又は第２の帯域に関連するチャネルの輻輳に基づき決定されても良い。幾つかの実施形態では、無線通信スーパバイザとホットスポット装置との間の通信の電力レベルは、調整されても良い。上述の又は他の実施形態では、電力調整は、別の無線通信ネットワークが同じ帯域及びチャネルを無線通信スーパバイザとホットスポット装置との間の通信として使用していることが検出されないとき、実行されても良い。同様に、幾つかの実施形態では、ホットスポット装置とそれらの関連するスレーブ装置との間の通信の電力レベルは調整されても良い。上述の又は他の実施形態では、電力調整は、別の無線通信ネットワークが同じ帯域及びチャネルをホットスポット装置とそれらの関連するスレーブ装置との間の通信として使用していることが検出されないとき、実行されても良い。
【００８６】
したがって、方法４００は、無線装置のテザリングに関連する無線通信をスケジューリングするために用いられても良い。当業者は、方法４００で実行される機能は異なる順序で実施されても良いことを理解する。さらに、概略のステップ及び動作は、単に例として提供され、幾つかのステップ及び動作は、開示の実施形態の本質から逸脱することなく、任意であり、より少ないステップ及び動作に組み合わされ、又は追加ステップ及び動作に拡張されても良い。
【００８７】
さらに、方法４００は、ホットスポット装置の個々の負荷（例えば、ホットスポット装置とそれらの個々のスレーブ装置との間で中継されるデータ量）に基づくホットスポット装置への帯域幅の動的割り当て（例えば、チャネルを動的に割り当てることによる）に関連するステップを有しても良い。さらに、方法４００は、無線通信スーパバイザと無線装置との間の１又は複数のリンクの変化に基づきどの無線装置がホットスポット装置として動作するかの再構成に関連するステップを有しても良い。例えば、ホットスポット装置として動作する無線装置は、無線通信スーパバイザから遠く離れすぎてホットスポット装置になれず、したがってホットスポット装置として指定解除されても良い。反対に、ホットスポット装置として動作していなかった無線装置は、ホットスポット装置になることができるほど無線ネットワークスーパバイザの十分近くに移動し、したがってホットスポット装置として指定されても良い。
【００８８】
本開示に記載された全ての例及び条件文は、教育上の目的で、読者が本発明の原理及び発明者により考案された概念を理解するのを助け、技術を促進させるためであり、これらの特に記載された例及び条件に限定されないものと考えられるべきである。本開示の実施形態が詳細に記載されたが、種々の変更、置換及び修正が本開示の精神及び範囲から逸脱することなく行われうることが理解されるべきである。
【符号の説明】
【００８９】
３０１  制御ユニット
３０８  プロセッサ
３１０  メモリ
３１２  構成モジュール
３１４  モビリティ管理モジュール
３１６  フロー制御モジュール
【図１Ａ】
2015198446.tif 000003
【図１Ｂ】
2015198446.tif 000004
【図１Ｃ】
2015198446.tif 000005
【図１Ｄ】
2015198446.tif 000006
【図１Ｅ】
2015198446.tif 000007
【図２】
2015198446.tif 000008
【図３】
2015198446.tif 000009
【図４】
2015198446.tif 000010